(57)【要約】【課題】ユニット化された構成でフローリングを施工すること。【解決手段】同一寸法に設定され、少なくとも幅方向に並べられた３枚以上の長尺の単位床板パネル１１と、単位床板パネル１１の幅方向に沿って延び、各単位床板パネル１１を当該単位床板パネル１１の幅方向に連結する複数の仮根太本体１２とを備えている。複数の単位床板パネル１１は、その幅方向に並べられたものを含んでいる。幅方向に並ぶ単位床板パネル１１同士のいずれか一方の端は、他方の途中部と並んでいる。仮根太本体１２は、床板パネルユニットにおいて、少なくとも各単位床板パネル１１の端と途中部とが並んでいる継ぎ部位を連結する。【選択図】図２
2017008556.tif 000002
【特許請求の範囲】
【請求項１】
同一寸法の長尺に設定され、少なくとも幅方向に並べられた３枚以上の単位床板パネルと、
前記単位床板パネルの幅方向に沿って延びる本体と前記本体を各単位床板パネルに固定する固定手段とを含み、各単位床板パネルを当該単位床板パネルの幅方向に連結する複数の仮根太部材と
を備えた床板パネルユニットであって、
前記単位床板パネルは、幅方向に一つ置きに端が並び、かつ幅方向に隣接するもの同士の端と途中部とが並ぶように長手方向にずれて並置されており、
前記仮根太部材の本体は、少なくとも前記床板パネルユニットにおいて前記単位床板パネルの端と途中部とが並ぶ継ぎ部位ごとに並置されているとともに、前記仮根太部材の本体の長さは、少なくとも前記継ぎ部位を形成する全単位床板パネルを連結可能な長さに設定されている
ことを特徴とする床板パネルユニット。
【請求項２】
請求項１に記載の床板パネルユニットにおいて、
前記複数の単位床板パネルは、各継ぎ部位のユニット幅方向の寸法である並設寸法が同一になるように配置されており、
各仮根太部材は、前記本体の長手方向が、前記並設寸法と同一長さに設定されているとともにそれぞれが一枚の単位床板パネルの幅寸法の半分だけ当該単位床板パネルの幅方向にはみ出して配置されている
ことを特徴とする床板パネルユニット。
【請求項３】
請求項１に記載の床板パネルユニットにおいて、
前記複数の単位床板パネルは、各継ぎ部位のユニット幅方向の寸法である並設寸法が同一になるように配置されており、
各仮根太部材は、前記本体の長手方向が、前記並設寸法よりも長い所定寸法に設定されているとともに、各仮根太部材の前記本体の長手方向一方の端部が前記単位床板パネルからその幅方向にはみ出し、他方の端部が前記単位床板パネルの下方に収まるよう配設され、
各仮根太部材の本体の一方の端部は、先端に向かうに従って上下いずれか一方側に傾斜する傾斜面を有し、他方の端部は、当該一方の端部の傾斜面に当接する傾斜面を有する
ことを特徴とする床板パネルユニット。
【請求項４】
請求項２又は３に記載の床板パネルユニットにおいて、
前記複数の仮根太部材の本体は、互いに隣接するもの同士のはみ出し部分が、前記ユニット幅方向において逆向きに突出するように配置されている
ことを特徴とする床板パネルユニット。
【請求項５】
請求項１から４のいずれか１項に記載の床板パネルユニットにおいて、
前記単位床板パネルは、施工エリアに同一のピッチを隔てて横架された複数の根太のピッチの２倍以上の整数倍に設定されている
ことを特徴とする床板パネルユニット。
【発明の詳細な説明】
【技術分野】
【０００１】
本発明は、床板パネルユニットに関する。
【背景技術】
【０００２】
住居、体育館、幼稚園、学校等、様々な建築物において、フローリングが必要な施工エリアでは、種々の方法で床板パネルが敷設される。床板パネルの施工方法としては、長さの異なる床板パネルを不規則に並べた乱尺張りや、同一寸法の床板パネルを交互にずらして並べたりゃんこ張り等が知られている。
【０００３】
一方、フローリングの施工作業においては、個々の施工エリアに応じて、職人が多数の床板パネルを一枚ずつ敷設する必要があったので、工数が多く大変な作業であった。そのため、床板パネルの敷設作業を軽減するため、複数のデッキユニットを設け、これら複数デッキユニットを隣接配置する技術が知られている。
【０００４】
例えば、特許文献１には、ベランダやバルコニーにデッキを敷設するデッキユニットを開示している。同デッキユニットは、複数枚の床板パネルを連結材によって一体化したものであり、該デッキユニットには、隣接配置された状態において、床板パネルからその幅方向側方に突出した連結材の先端部分が隣接するユニットの床板パネルの下方に挿入され、両者の重合部分を連結して、デッキユニット同士を一体化するように構成されていた。
【０００５】
また、特許文献２には、複数の床板パネルを用いて複数のデッキユニットを設け、これらを施工場所に敷設する技術が開示されている。デッキユニットは、連結材を介して連結されている。連結材の両端部には、支持台が設けられ、フローリングが施される床面に支持台を設置することにより、デッキユニットを敷設するように構成されていた。
【０００６】
これら特許文献１及び２では、通し目タイルのように順次、敷設できるよう、いずれも同一寸法に設定された長尺の床板パネルが長手方向に両端部を揃えて並べた状態で平面視略矩形状にユニット化されていた。
【先行技術文献】
【特許文献】
【０００７】
【特許文献１】特開２００４−１７６２８２号公報
【特許文献２】特開２００８−３１７２７号公報
【発明の概要】
【発明が解決しようとする課題】
【０００８】
上述した各先行技術によれば、複数の床板パネルをユニット化したデッキパネルを採用しているので、生産性が向上し、現場における施工も効率化する。
【０００９】
しかしながら、上述のように従来のデッキパネルでは、ユニット化された複数のデッキパネルを敷設する場合には、通し目タイルのように縦横に整列して配置されるため、床板パネルの長手方向におけるデッキパネル同士の継ぎ目の曲げ強度に乏しく、経年により継ぎ目に配置される床板パネルの端部が反りやすくなる等の不具合が生じる。
【００１０】
一方、例えばりゃんこ張りのように、個々の床板パネルをその長手方向にずらした場合には、美感が向上し、継ぎ目の曲げ強度も向上するものの、複数枚の床板パネルをユニット化し難く、特に連結材との関係でどのようにユニット化するのかが困難であったため、実際に商品化されていないのが実情である。
【００１１】
本発明は、上記課題や要請に鑑みてなされたものであり、ユニット化された構成でフローリングを施工することのできる床板パネルユニットを提供することを課題としている。
【課題を解決するための手段】
【００１２】
上記課題を解決するために、本発明は、同一寸法の長尺に設定され、少なくとも幅方向に並べられた３枚以上の単位床板パネルと、前記単位床板パネルの幅方向に沿って延びる本体と前記本体を各単位床板パネルに固定する固定手段とを含み、各単位床板パネルを当該単位床板パネルの幅方向に連結する複数の仮根太部材とを備えた床板パネルユニットであって、前記単位床板パネルは、幅方向に一つ置きに端が並び、かつ幅方向に隣接するもの同士の端と途中部とが並ぶように長手方向にずれて並置されており、前記仮根太部材の本体は、少なくとも前記床板パネルユニットにおいて前記単位床板パネルの端と途中部とが並ぶ継ぎ部位ごとに並置されているとともに、前記仮根太部材の本体の長さは、少なくとも前記継ぎ部位を形成する全単位床板パネルを連結可能な長さに設定されていることを特徴とする床板パネルユニットである。
【００１３】
この態様では、複数の単位床板パネルがその長手方向にずれるように並べられて、その継ぎ部位が仮根太部材に連結されるので、曲げ強度が高く、長期にわたって反りやきしみの生じ難いフローリング施工を容易に行うことが可能になる。しかも、各単位床板パネルは、それぞれが同一寸法に設定されているとともに、各単位床板パネルは、一つ置きに端が幅方向に並び、かつ隣接するもの同士の端と途中部とが並んだパターンに配置される。よって、複数の床板パネルユニットを当該単位床板パネルの長手方向に連設した場合において、一の床板パネルユニットから片持ち状に突出する単位床板パネルの自由端部を、相手方となる他の床板パネルユニットの仮根太部材の真上に配置することが可能になる。従って、両床板パネルユニットの接合部分において、各単位床板パネルの両端部を仮根太部材で両持ち状に保持することができ、各単位床板パネルの曲げ強度を確保することが可能となる。ここで、「一つ置きに端が並ぶ」は、一つ置きに配置された二つの単位床板パネルの一端側同士、他端側同士が並ぶ態様だけではなく、一方の一端と他方の他端とが並ぶ態様であってもよい。また、単位床板パネルが３枚で構成されている場合には、一組の単位床板パネルのいずれかの端が並んだ状態になっていれば足りる。さらに本態様では、同一寸法に設定された複数の単位床板パネルを仮根太部材で幅方向に連結する構成を採用しているので、単位床板パネルや床板パネルユニットの規格を統一し、同一仕様の単位床板パネルを量産して同一仕様の床板パネルユニットを製造することが容易になる。
【００１４】
好ましい態様の床板パネルユニットにおいて、前記複数の単位床板パネルは、各継ぎ部位のユニット幅方向の寸法である並設寸法が同一になるように配置されており、各仮根太部材は、前記本体の長手方向が、前記並設寸法と同一長さに設定されているとともにそれぞれが一枚の単位床板パネルの幅寸法の半分だけ当該単位床板パネルの幅方向にはみ出して配置されている。この態様では、各仮根太部材の本体（仮根太本体）は、一端側が単位床板パネルからユニット幅方向にはみ出し、他端側が単位床板パネルの下方に奥まって配置される。そのため、複数の床板パネルユニットをユニット幅方向に敷き詰めて並べる際に、一方の床板パネルユニットの仮根太本体の一端側は、他方の床板パネルユニットの仮根太本体の他端側に臨んだ状態で当該相手方の床板パネルユニットの単位床板パネルの下方に配置される。よって、複数の床板パネルユニットをユニット幅方向に敷き詰めて並べる際においても、相手方の仮根太部材との取合いが問題となることなく、隣接する床板パネルユニット同士を連結し、高い曲げ強度を得ることができ、長期にわたって反りやきしみの生じ難い堅固なフローリング構造を得ることが可能になる。
【００１５】
好ましい態様の床板パネルユニットにおいて、前記複数の単位床板パネルは、各継ぎ部位のユニット幅方向の寸法である並設寸法が同一になるように配置されており、各仮根太部材は、前記本体の長手方向が、前記並設寸法よりも長い所定寸法に設定されているとともに、各仮根太部材の前記本体の長手方向一方の端部が前記単位床板パネルからその幅方向にはみ出し、他方の端部が前記単位床板パネルの下方に収まるよう配設され、各仮根太部材の本体の一方の端部は、先端に向かうに従って上下いずれか一方側に傾斜する傾斜面を有し、他方の端部は、当該一方の端部の傾斜面に当接する傾斜面を有する。この態様では、複数の床板パネルユニットを当該単位床板パネルの幅方向に敷き詰めて並べる際に、一方の仮根太部材の突出側接合部を他方の仮根太部材の非突出側接合部と接合し、両床板パネルユニットを連続的に敷き詰めて並べることができる。特に、本態様では、一方の端部が先端に向かうに従って上下いずれか一方側に傾斜する傾斜面を有し、他方の端部が当該一方の端部の傾斜面に当接する傾斜面を有するので、両傾斜面を接合することにより、一方の床板パネルユニットに設けられた突出側接合部と他方の床板パネルユニットに設けられた非突出側接合部とを上下に重合させた状態で当該相手方の床板パネルユニットの単位床板パネルの下方に配置することができる。よって、複数の床板パネルユニットをユニット幅方向に敷き詰めて並べる際においても、相手方の仮根太部材との仮根太部材の取合いが問題となることなく、両床板パネルユニットを堅固に連結して高い曲げ強度を得ることができ、長期にわたって反りやきしみの生じ難い堅固なフローリング構造を得ることが可能になる。
【００１６】
好ましい態様の床板パネルユニットにおいて、前記複数の仮根太部材の本体は、互いに隣接するもの同士のはみ出し部分が、前記ユニット幅方向において逆向きに突出するように配置されている。この態様では、複数の床板パネルユニットを当該単位床板パネルの幅方向に敷き詰めて並べる際においても、ユニット幅方向に隣接する床板パネルユニットにおいて、相手方の仮根太部材との取合いが問題となることなく、床板パネルユニット同士を連結し、高い曲げ強度を得ることができ、長期にわたって反りやきしみの生じ難い堅固なフローリング構造を得ることが可能になる。
【００１７】
好ましい態様の床板パネルユニットにおいて、前記単位床板パネルは、施工エリアに同一のピッチを隔てて横架された複数の根太のピッチの２倍以上の整数倍に設定されている。この態様では、複数の根太が横架されている施工エリアに床板パネルユニットを施工する場合、各単位床板パネルの両端部をいずれも当該根太の真上に配置することができる。そのため、複数の単位床板パネルを長手方向にずらして配置したときにおいても、各単位床板パネルの両端部分を根太の真上で支持することができるので、長期にわたり反りやきしみの生じ難い堅固なフローリング構造を得ることが可能になる。
【発明の効果】
【００１８】
以上説明したように、本発明によれば、複数の単位床板パネルを用いてユニット化するに当たり、各単位床板パネルの端部が一つ置きに幅方向に並び、かつ隣接するもの同士の端と途中部とが幅方向に並ぶように並置されており、しかも各単位床板パネルが少なくともその継ぎ部位に配置された仮根太部材によってユニット化されているので、単位床板パネルがその長手方向にずれたフローリングの施工が容易になる。従って、隣接する床板パネルユニットの仮根太部材の取り合いが問題となることもなく、各単位床板パネルの曲げ強度を確保し、長期にわたって反りやきしみの発生を抑制することができる一方、単位床板パネルや床板パネルユニットの規格を統一し、同一仕様の単位床板パネルを量産して同一仕様の床板パネルユニットを製造することが容易になるという顕著な効果を奏する。
【００１９】
本発明のさらなる特徴、目的、構成、並びに作用効果は、添付図面と併せて読むべき以下の詳細な説明から容易に理解できるであろう。
【図面の簡単な説明】
【００２０】
【図１】本発明の実施の一形態に係る第１、第２の床板パネルユニットの施工例を示す平面略図である。
【図２】図１の実施の一形態に係る第１の床板パネルユニットの平面図である。
【図３】図２の第１の床板パネルユニットの要部を示す斜視図である。
【図４】図２の第１の床板パネルユニットの製造工程を示す工程図である。
【図５】図１の実施の一形態に係る第２の床板パネルユニットの平面図である。
【図６】図２の第１の床板パネルユニットの施工例を示す説明図であり、（Ａ）は、図２のＶＩＡ−ＶＩＡ矢視断面略図、（Ｂ）は、図２のＶＩＢ−ＶＩＢ矢視断面略図である。
【図７】図２の第１の床板パネルユニットの施工例を示す説明図であり、（Ａ）は、図２のＶＩＩＡ−ＶＩＩＡ矢視断面略図、（Ｂ）は、図２のＶＩＩＢ−ＶＩＩＢ矢視断面略図である。
【図８】本発明の実施形態に係る第１、第２の床板パネルユニットの別の施工例を示す説明図である。
【図９】本発明の実施形態に係る第１の床板パネルユニットの変形例を示す斜視図である。
【図１０】図９の変形例の施工例を示す断面略図である。
【図１１】本発明の別の実施形態に係る床板パネルユニットの説明図であり、（Ａ）は、ユニット単品を示す平面略図、（Ｂ）は（Ａ）のユニットを複数組み合わせた例を示す平面略図である。
【図１２】本発明のさらに別の実施形態に係る床板パネルユニットの説明図であり、（Ａ）は、ユニット単品を示す平面略図、（Ｂ）は（Ａ）のユニットを複数組み合わせた例を示す平面略図である。
【図１３】本発明のさらに別の実施形態に係る床板パネルユニットの平面略図である。
【発明を実施するための形態】
【００２１】
以下、添付図面を参照して、本発明を実施するための最良の形態について説明する。
【００２２】
まず、図１を参照して、本実施形態においては、２種類の床板パネルユニット、すなわち第１の床板パネルユニット１及び第２の床板パネルユニット２をそれぞれ複数個用意し、これら複数の第１の床板パネルユニット１及び第２の床板パネルユニット２を敷き詰めることによって、施工エリアＡにフローリングを構成している。本実施形態では、フローリングの一例として、りゃんこ張りを採用している。
【００２３】
なお、以下の説明において、各床板パネルユニットの長手方向（図１において左右の方向）を「ユニット長手方向」と称し、幅方向（図１において上下の方向）を「ユニット幅方向」と称する。また、ユニット幅方向の並びを「列」ともいう。さらに、ユニット長手方向において、図１の左側及びこれに対応する側を仮に長手方向一端側とし、ユニット幅方向において、図１の下側及びこれに対応する側を仮に幅方向一端側とする。
【００２４】
図１に示した例において、施工エリアＡは、建物の廊下を構成する床部分であり、平面でみて、図１の左右に長く延びている。図示の施工エリアＡは、ユニット長手方向の一端側部分が他端側に比べて広くなっており、途中部分から他端側が狭くなっている。また、施工エリアＡには、その幅方向に延びる根太２０が長手方向に一定のピッチＰを隔てて横架されている。本実施形態では、このピッチＰに基づき、後述する各単位床板パネル１１の長さ寸法（ピッチＰの４倍）が設定されている。本実施形態に係る各床板パネルユニット１、２は、互いに図１に示すパターンで組み合わされて、順次、根太２０の上に固定されることにより、施工エリアＡにりゃんこ張りのフローリングを構成している。なお、りゃんこ張りとは、同じ寸法の単位床板パネル１１を長さの半分の寸法ずつずらして張る方法をいう。
【００２５】
第１、第２の床板パネルユニット１、２は、それぞれに予め設定された仕様に基づいて、工場で量産され、現場となる施工エリアＡに敷設される。具体的には、上記施工エリアＡの広くなっている側においては、複数の第２の床板パネルユニット２がユニット幅方向に並設されて列を形成している。この列のパネル長手方向他端側には、複数の第１の床板パネルユニット１がユニット幅方向に並設されて別の列を形成している。そして、この第１の床板パネルユニット１の列のパネル長手方向他端側には、１又は２枚の第１の床板パネルユニット１がユニット長手方向に沿って並設している。
【００２６】
なお、図１において、各床板パネルユニット１、２は、施工エリアＡの中央側に並設され、その周囲に生じた余剰部分には、所定寸法に裁断された単体の床板パネルが現場において敷設されているが、煩瑣を避けるため、図１では省略されている。
【００２７】
次に、本実施形態に係る各床板パネルユニット１、２について詳述する。
【００２８】
まず、図２を参照して、第１の床板パネルユニット１について説明する。
【００２９】
第１の床板パネルユニット１は、複数枚（図示の例では、６枚）の単位床板パネル１１と、複数本（図示の例では、６本）の仮根太本体１２、１３とを備えている。
【００３０】
各単位床板パネル１１は、フローリングを構成する表面材であり、平面でみて、長尺の長方形に形成された天然木や積層合板である。各単位床板パネル１１は、それぞれが同一の寸法に設定されている。図示の例において、単位床板パネル１１の長さＬは、施工エリアＡのピッチＰの複数倍（図示の例では、４倍）に設定されている。なお、この長さＬは、実施上は、単位床板パネル１１同士の寸法誤差や、組付誤差を吸収するため、実際のピッチＰの複数倍よりも若干短く設定されていてもよい。また、長さＬは、４倍に限らず、ピッチＰの２倍以上の整数倍であれば、３倍であってもよく、５倍であってもよい。
【００３１】
各単位床板パネル１１は、１枚の単位床板パネル１１を配置し、この単位床板パネル１１の幅方向一端側（図２に示すユニット幅方向の一端側）に２枚の単位床板パネル１１を長手方向に沿って並べ、さらに、これら２枚の単位床板パネル１１の幅方向一端側に１枚の単位床板パネル１１を配置し、この一枚の単位床板パネル１１の幅方向一端側に２枚の単位床板パネル１１を長手方向に沿って並べている。このような配置を採用することにより、各単位床板パネル１１は、一つ置きに端（ここでは、一つ置きに並ぶ二つの単位床板パネル１１の一端同士、他端同士）が幅方向に並び、隣接するもの同士の端と途中部（ここでは真ん中）とが並んだ態様を構成している。なお、上述のように第１の床板パネルユニット１において、各単位床板パネル１１の枚数は、６枚に設定されているが、単位床板パネル１１の枚数は、上述のような６枚に限らず、最低２枚であればよい。また、偶数枚であれば、連続的に組付やすくなるが、それに限らず、奇数枚であってもよい。
【００３２】
また、単位床板パネル１１の配置は、多様なパターンが想定されるが、いずれの態様においても、幅方向に一つ置きに端が並び、かつ幅方向に隣接するもの同士の端と途中部とが並ぶように長手方向にずれて並置されていればよく、必ずしもりゃんこ張り状に配置されている必要はない。また、単位床板パネル１１を交互にずらすときの規則性としては、（１）各単位床板パネル１１の端を一つ置きに幅方向に並んでいること、及び（２）隣接するもの同士の端と途中部とが並んでいること、を充足していればよい。上記（１）（２）の規則性を持たせていれば、第１の床板パネルユニット１の長手方向一端側に形成される凹凸は、他端側に形成される凹凸と嵌り合う関係になる。すなわち、複数の第１の床板パネル１を長手方向に並べる際に、一方の自由端を相手方の自由端の間に配置することにより、それぞれの一方の自由端が他方の自由端の間に嵌り込んで両床板パネルユニット１、１同士を隙間なく連続させることができる（後述する図８（Ａ）参照）。このように、本実施形態では、第１の床板パネルユニット１の長手方向一端側と他端側とを隙間なく嵌合させて連続させることが可能となる。
【００３３】
各単位床板パネル１１のうち、その幅方向に隣接するものは、いずれか一方の端が相手方の真ん中に並ぶように長手方向にずれている。すなわち、複数の単位床板パネル１１のうち、一部のものは、幅方向に並んでいるとともに、幅方向に隣接する単位床板パネル１１同士は、互いに長さＬの半分だけ長手方向にずれている。そのため、第１の床板パネルユニット１には、各単位床板パネル１１の端と真ん中とがユニット幅方向に隣接する部位（以下、「継ぎ部位」という）が形成されている。
【００３４】
このようなレイアウトに各単位床板パネル１１が配設されることにより、各単位床板パネル１１は、全体として、りゃんこ張り状に並べられる。図２に示す第１の床板パネルユニット１では、何れの継ぎ部位においても４枚の単位床板パネル１１がその幅方向に並設されているので、各継ぎ部位において全単位床板パネル１１が並んでいる部位の幅（ＴＷで示す寸法）は、個々の単位床板パネル１１の幅Ｗの４倍となる。図２のＴＷで示す上記幅は、本実施形態における並設寸法である。
【００３５】
次に、図２及び図３を参照して、各仮根太本体１２、１３は、後述する固定手段とともに、個々の単位床板パネル１１をその幅方向に連結する仮根太部材の本体である。各仮根太本体１２、１３は、例えば、断面が四角形の天然木で形成された角材で構成されており、その長手方向は、単位床板パネル１１の幅方向に沿って配置されている。各仮根太部材の幅ＰＷは、根太２０の幅ＪＷとほぼ同じか若干短く設定されている。各仮根太本体１２の長さＰＬは、並設寸法ＴＷと同一寸法に設定されている。従って、各仮根太本体１２は、第１の床板パネルユニット１を構成する個々の単位床板パネル１１のうち、幅方向に並んでいるもの全てを当該幅方向に連結することができる寸法に設定されている。例えば、第１の床板パネルユニット１において、仮根太本体１２、１３の長さＰＬは、図２の上から４枚の単位床板パネル１１を並べた部位を接合する寸法に設定されている。
【００３６】
本実施形態においては、各単位床板パネル１１が形成する全ての継ぎ部位に仮根太本体１２が配置され、これら継ぎ部位を構成している単位床板パネル１１が、当該仮根太本体１２によってユニット幅方向に連結されている。図２の実施形態では、単位床板パネル１１の長さＬが根太２０のピッチＰの４倍になっているので、これらの仮根太本体１２の配置間隔は、根太２０のピッチＰの２倍に設定されている。
【００３７】
また、第１の床板パネルユニット１において、各継ぎ部位から外れた部位（以下、「非継ぎ部位」という）には、ユニット長手方向の他端側に根太２０のピッチＰごとに仮根太本体１３が配置されており、これら非継ぎ部位を構成する単位床板パネル１１が当該仮根太本体１３によってユニット幅方向に連結されている。なお、これら非継ぎ部位における仮根太本体１３は、適宜省略可能であるが、本実施形態においては、単位床板パネル１１の撓み量を抑制可能にこれらの仮根太本体１３がピッチＰごとに設けられている。
【００３８】
各仮根太本体１２、１３を配置する際の規則性としては、（１）床板パネルユニット１の継ぎ部位上には、仮根太本体１２が配置されていること、及び（２）床板パネルユニット１の長手方向において一方の端部に仮根太本体１２、１３を配置した場合には、他方の端部に仮根太本体１３を省略されていること、を充足していればよい。上記（１）、（２）の規則性を有していれば、個々の仮根太本体１２、１３は、任意の部位に配置することが可能である。なお、本実施形態のように、根太方式の床下に本床板パネルユニットを採用する場合には、上述した仮根太部材の配置の規則性（１）、（２）の他、各仮根太本体１２、１３が根太２０の真上に配置されるようにピッチＰごとに設けられていることが好ましい。
【００３９】
上述した単位床板パネル１１の寸法設定とレイアウトとにより、第１の床板パネルユニット１の各仮根太本体１２、１３を根太２０と揃えたとき、全ての仮根太本体１２、１３は、それぞれ根太２０の真上に配置されることになる。
【００４０】
次に、各仮根太本体１２、１３は、互いに隣接するもの同士が、ユニット幅方向において逆向きに単位床板パネルの幅Ｗの半分だけずれた状態で配置されている。この結果、一の仮根太本体１２（１３）は、ユニット幅方向において一端側に突出し、この一の仮根太部材１２（１３）に隣接する仮根太部材１３（１２）は、他端側に突出する。仮根太本体１２、１３の突出部分は、床板パネルユニット１において、単位床板パネル１１からはみ出すはみ出し部分の一例である。第１の床板パネルユニット１の例では、図２に示したように、ユニット長手方向の最も一端側に配置されている仮根太本体１２は、ユニット幅方向の一端側にずれて、当該一端側が単位床板パネル１１よりも突出している。また、この仮根太本体１２に隣接する仮根太本体１３は、ユニット幅方向の他端側にずれて、当該他端側がユニット幅方向の他端側が単位床板パネル１１よりも突出している。そして、上記パターンが仮根太本体１２、１３ごとに繰り返されている。
【００４１】
固定手段は、仮根太本体１２、１３とともに、各単位床板パネル１１同士を連結する仮根太部材を構成する手段である。この固定手段としては、釘、木ねじ、コーススレッド等の締結部材を採用することができ、本実施形態では、特に、コーススレッド１５を採用している。固定手段としてのコーススレッド１５は、次に説明する工場での組立工程において、単位床板パネル１１から仮根太本体１２、１３にねじ込まれる。図示の例では、各仮根太本体１２また仮根太本体１３に対し、単位床板パネル１１の幅方向２箇所にコーススレッド１５がねじ込まれている。
【００４２】
次に、工場における床板パネルユニット１の組立手順について、説明する。
【００４３】
単位床板パネル１１、並びに仮根太本体１２及び仮根太本体１３は、予め製造工場で必要分だけ製造されている。本実施形態においては、寸法、材質が同じ仕様の単位床板パネル１１並びに仮根太本体１２及び仮根太本体１３を製造するだけで、各単位床板パネル１１をりゃんこ張りにユニット化することができるので、これら単位床板パネル１１並びに仮根太本体１２及び仮根太本体１３の規格化、量産化が容易になり、生産性が向上する。
【００４４】
これらの部品（単位床板パネル１１、仮根太本体１２、１３）を用意した後、図４（Ａ）〜（Ｃ）の手順で各部材を組み立てることにより、床板パネルユニット１を量産することが可能になる。
【００４５】
まず、図４（Ａ）に示すように、図略の治具上に、仮根太本体１２、１３を当該仮根太本体１２、１３の長手方向に交互にずれるように配置し、位置決めする。
【００４６】
次いで、図４（Ｂ）に示すように、上記治具上に位置決めされた仮根太本体１２、１３の上に、単位床板パネル１１を配置し、仮根太本体１２、１３の上で、りゃんこ張りに配置する。
【００４７】
最後に、図４（Ｃ）に示すように、固定手段としてのコーススレッド１５をねじ込んで、仮根太本体１２、１３に対し、各単位床板パネル１１を固定する。これにより、各単位床板パネル１１が仮根太本体１２、１３によって連結され、個々の単位床板パネル１１が一体的に構成される。なお具体的には図示していないが、コーススレッド１５の頭部は、単位床板パネル１１よりも幾分埋設されており、その埋設部分は、単位床板パネル１１の表面と調和のとれた色調に仕上げられたプラグ材によって、塞がれている。なお、プラグ材はオプションであり、可能な場合には省略してもよい。
【００４８】
また、単位床板パネル１１のうち、組付時に別の床板パネルユニット１（又は２）の仮根太部材と組み付けられる部位には、ねじ孔１４が穿設される。
【００４９】
上述のような工程によって、複数の床板パネルユニット１を製造することにより、床板に複数の床板パネルユニット１を並設して、りゃんこ張りのフローリングを施工することが可能となる。
【００５０】
次に、図５を参照して、第２の床板パネルユニット２について説明する。
【００５１】
第２の床板パネルユニット２は、第１の床板パネルユニット１に採用されている単位床板パネル１１および仮根太本体１２、１３を用いて、複数の単位床板パネル１１をりゃんこ張りに配置し、第１の床板パネルユニット１と同様の工程で、仮根太本体１２、１３により連結してユニット化したものである。第１の床板パネルユニット１との相違点は、ユニット長手方向一端側から、片持ち状に固定された２枚の単位床板パネル１１を省略し、同長手方向一端部側から二つの仮根太本体１２、１３を省略している点である。具体的には、１枚の単位床板パネル１１を配置し、この単位床板パネル１１の幅方向一端側に１枚の単位床板パネル１１をその長手方向他端側にずらして当該長手方向に沿って並べ、さらに、この単位床板パネル１１の幅方向一端側に１枚の単位床板パネル１１をその長手方向一端側にずらして当該長手方向に沿って配置し、この一枚の単位床板パネル１１の幅方向一端側に１枚の単位床板パネル１１をその長手方向他端側にずらして当該長手方向に沿って並べている。その他、残余の点は、基本的に第１の床板パネルユニット１と同様になっている。また、図５に示した第２の床板パネルユニット２においては、当該長手方向における単位床板パネルの自由端が点対称の関係になっているので、複数の第２の床板パネルユニット２を同じ高さで長手方向に並べた場合にも、一方の自由端の間に他方の自由端が嵌り込む関係が維持される。よって、第２の床板パネルユニット２においても、その長手方向一端側と他端側とを隙間なく嵌合させて連続させることが可能となる（後述する図８（Ｂ）参照）。
【００５２】
特に、第１の床板パネルユニット１と第２の床板パネルユニット２とは、いずれも上述した単位床板パネル１１をずらすときの規則性（１）（２）及び仮根太部材を配置するときの規則性（１）（２）を同一の仕様で充足している。このように、各単位床板パネル１１が、同一の仕様で同一の規則性に基づいて相互にずれているとともに、各仮根太部材が同一の仕様で同一の規則性に基づいて配置されている場合には、これら複数の床板パネルユニットを任意に組み合わせてフロアに敷き詰めることができるので、種々のフローリング現場に適合するようにバリエーションに富んだレイアウトを僅かな種類の床板パネルユニットによって実現することが可能になる。
【００５３】
なお、第２の床板パネルユニット２において、ユニット長手方向の一端側に片持ち状に配置された単位床板パネル１１には、組付時に別の床板パネルユニット１（又は２）の仮根太部材と組み付けられる部位にねじ孔１４が穿設される。
【００５４】
次に、図１、図２、及図６を参照して、複数の床板パネルユニットを並設する工程について説明する。
【００５５】
図１で示した現場での施工作業においては、まず、図６に示すように、予め設定された位置に最初の床板パネルユニット（ここでは、第１の床板パネルユニット１。以下、同様。）を載置し、当該仮根太本体１２、１３と根太２０とを位置合わせする。なお、この最初の床板パネルユニットを固定する位置は、必ずしも施工エリアＡの端である必要はなく、例えば、中央側から敷き詰めるように施工してもよい。
【００５６】
次に、各仮根太本体１２、１３のうち、上面が外部に露出している部分（図２、図５にそれぞれ三角で示す部位。図２に示す第１の床板パネルユニット１の例では、１８箇所、図５に示す第２の床板パネルユニット２の例では、１３箇所）から、パネル固定手段としての仮根太用コーススレッド１６をねじ込んで、この床板パネルユニットを仮止めし、位置合わせを確認する。この仮根太用コーススレッド１６は、仮根太本体１２、１３を貫通し、根太２０に固定されるために必要充分な長さに設定されたものである。
【００５７】
次に、図２及び図７を参照して、仮止めされた１枚目の床板パネルユニットに対し、ユニット幅方向に隣接する２枚目の床板パネルユニットを敷き詰めて並べる際には、図７（Ａ）（Ｂ）に示したように、２枚目の床板パネルユニットを１枚目の床板パネルユニットと同じ向きに揃え、この１枚目の床板パネルユニットの幅方向端部を構成する単位床板パネル１１の下側に、当該２枚目の床板パネルユニットから突出している仮根太本体１２（１３）の端部をユニット幅方向に差し込んで、各仮根太本体１２、１３を根太２０の上に位置合わせする。これにより、１枚目の床板パネルユニットと、２枚目の床板パネルユニットとが、りゃんこ張りのパターンを連続させた状態で、両床板パネルユニットがユニット幅方向に敷き詰められる。また、各仮根太本体１２、１３は、当該床板パネルユニットに隣接する床板パネルユニットの仮根太本体１２、１３と同一線上に並んで、いも継ぎ状に連続する。その後は、１枚目の床板パネルユニットと同様に、２枚目の床板パネルユニットの仮根太本体１２、１３を仮根太用コーススレッド１６で仮止めする。
【００５８】
以上のような作業を繰り返すことにより、複数の床板パネルユニットをユニット幅方向に敷き詰めて並べることができる。
【００５９】
一方、固定された床板パネルユニットのユニット長手方向に別の床板パネルユニットを並設する場合には、図１に示されているように、固定済の床板パネルユニットにおいて、片持ち状に保持されている単位床板パネル１１、１１間に、次の床板パネルユニットにおいて、片持ち状に保持されている単位床板パネル１１を配置する。この際、２列目の床板パネルユニットを配置する場合には、仮根太本体１２、１３の突出側の端部をユニット幅方向に隣接する相手側の床板パネルユニットの単位床板パネル１１の下側に差し込むようにしながら、ユニット長手方向両側に保持された片持ち状の単位床板パネル１１の位置を合わせる。これにより、ユニット長手方向においても、複数の床板パネルユニットがりゃんこ張りのパターンを維持した状態で並設される。
【００６０】
全ての床板パネルユニットを順次仮止めしながら敷設した後、床板パネルユニットを根太２０に固定する固定作業を行う。この固定作業は、パネル固定手段としての本根太用コーススレッド１７をねじ込んで行う。このコーススレッド１７は、単位床板パネル１１及び仮根太本体１２又は１３を貫通し、根太２０に固定されるために必要充分な長さに設定されたものである。この固定作業により、一の床板パネルユニットのうち、隣接する床板パネルユニットの仮根太部材１２（１３）が単位床板パネル１１の下部に配置された部位には、本根太用コーススレッド１７がねじ込まれ、これら単位床板パネル１１及び仮根太部材１２が本根太用コーススレッド１７によって根太２０に共締めされる。
【００６１】
以上説明したように本実施形態では、第１、第２の床板パネルユニット１、２のいずれにおいても、複数の単位床板パネル１１がりゃんこ張りに配置され、個々の単位床板パネル１１が仮根太本体１２、１３に連結されるので、床板パネルユニットを構成する各単位床板パネルの長手方向両端部は、何れも当該単位床板パネルの幅方向に揃うことはない。そのため、これらの床板パネルユニット１、２を用いることにより、曲げ強度が高く、長期にわたって反りやきしみの生じ難いりゃんこ張りのフローリング施工を容易に行うことが可能になり、しかも製造時における床板パネルユニット１、２の規格化、量産化が容易になる。
【００６２】
特に、第１、第２の床板パネルユニット１、２においては、各単位床板パネル１１は、それぞれが同一寸法に設定されているとともに、幅方向に並ぶ単位床板パネル１１同士のいずれか一方の端が他方の真ん中と並んだ継ぎ部位を形成する。よって、りゃんこ張りのフローリングを構成するに当たり、一の床板パネルユニット１、２から片持ち状に突出する単位床板パネル１１の自由端部を、相手方となる他の床板パネルユニット１、２の仮根太本体１２、１３の真上に配置することが可能になる。従って、両床板パネルユニット１、２の接合部分において、各単位床板パネル１１の両端部を仮根太本体１２、１３で両持ち状に保持することができ、各単位床板パネル１１の曲げ強度を確保することが可能となる。
【００６３】
また、本実施形態では、同一寸法に設定された複数の単位床板パネル１１を仮根太本体１２、１３で幅方向に連結する構成を採用しているので、単位床板パネル１１や床板パネルユニット１、２の規格を統一し、同一仕様の単位床板パネル１１を量産して同一仕様の床板パネルユニット１、２を製造することができる。従って、同一仕様の部品又は製品の量産化を図ることが容易になる。
【００６４】
また、本実施形態では、各仮根太本体１２、１３は、その長手方向が上記並設寸法と同一長さに設定されているとともに、単位床板パネル１１の長手方向に隣接するもの同士が互いに一枚の単位床板パネル１１の幅寸法の半分だけ当該単位床板パネル１１の幅方向に逆向きにずらして配置されている。このため本実施形態では、床板パネルユニットを構成する複数の第１、第２の床板パネルユニット１、２を連結する場合に、一の仮根太本体１２、１３は、ユニット幅方向において一端側に突出し、この一の仮根太本体１２、１３に隣接する仮根太本体１２、１３は、他端側に突出する。よって、当該床板パネルユニット１、２の幅方向に隣接する床板パネルユニット１、２同士の仮根太本体１２、１３と、この仮根太本体１２、１３に対向する相手方の仮根太本体１２、１３の端部との取合いが問題となることなく、両床板パネルユニット１、２を敷き詰めて並べることができる。
【００６５】
特に、本実施形態では、仮根太本体１２、１３の一方の端部が単位床板パネル１１の幅方向のいずれか一方にはみ出し、他方の端部が単位床板パネル１１の下方に奥まって配置される。そのため、複数の床板パネルユニット１、２を上記幅方向に敷き詰めて並べる際に、各仮根太本体１２、１３のはみ出し部分を当該仮根太本体１２、１３の他方の端部といも継ぎ状に接合させた状態で、相手方の床板パネルユニット１、２を構成する単位床板パネル１１の下側に配置し、連結することができる。よって、複数の床板パネルユニット１、２を当該単位床板パネル１１の幅方向に敷き詰めて並べる際においても、相手方の仮根太部材との取合いが問題となることなく、床板パネルユニット１、２同士を連結し、高い曲げ強度を得ることができ、長期にわたって反りやきしみの生じ難い堅固なフローリング構造を得ることが可能になる。
【００６６】
また、本実施形態では、単位床板パネル１１は、施工エリアＡに同一のピッチを隔てて横架された複数の根太２０のピッチの２倍以上の整数倍に設定されている。このため本実施形態では、複数の根太２０が横架されている施工エリアＡに床板パネルユニット１、２を施工する場合、各単位床板パネル１１の両端部をいずれも当該根太２０の真上に配置することができる。そのため、複数の単位床板パネル１１を交互にずらせてりゃんこ張りにしたときにおいても、各単位床板パネル１１の両端部分を根太２０の真上で支持することができるので、長期にわたり反りやきしみの生じ難い堅固なフローリング構造を得ることが可能になる。
【００６７】
本発明は、上述した実施の形態に限定されるものではない。
【００６８】
例えば、図１に示した現場での施工例では、施工エリアＡの長手方向一端側の広い部分において、第１の床板パネルユニット１を一列に並べ、施工エリアＡの長手方向に一端側に第２の床板パネルユニット２を隣接させて、一列に並べている。
【００６９】
しかしながら、第１、第２の床板パネルユニット１、２を配列する仕様としては、図１に示した例に限らない。例えば、第１の床板パネルユニット１のみを用いて、又は第２の床板パネルユニット２のみを用いて、施工エリアにフローリングを施してもよい。
【００７０】
或いは、施工エリアの態様に応じて、第１の床板パネルユニット１と第２の床板パネルユニット２とを組み合わせてもよい。例えば、図８（Ａ）に示すように、第１の床板パネルユニット１を複数列並設し、その他端側の列に第２の床板パネルユニット２を並設した構成を採用してもよい。或いは、図８（Ｂ）に示すように、第２の床板パネルユニット２を複数列並設し、その他端側に複数列の第１の床板パネルユニット１を並設した構成を採用してもよい。いずれの場合においても、組み合わせ可能な様々な態様をとることができ、それによって、連続的なりゃんこ張りのフローリングを構成することが可能である。
【００７１】
また、仮根太本体１２、１３の長さＰＬは、少なくともユニット幅方向に並設された各単位床板パネルを全て連結可能な同一長さに設定されていればよく、必ずも並設寸法ＴＷと同一寸法に設定する必要はない。すなわち、長さＰＬは、並設寸法ＴＷ以下であってもよく、並設寸法ＴＷ以上であってもよい。
【００７２】
例えば、図９及び図１０に示すように、仮根太本体１２、１３の長さを床板パネルユニットの設寸法ＴＷよりも長い所定寸法に設定し、仮根太本体１２、１３の長手方向のいずれか一端側に単位床板パネル１１よりも突出する突出側傾斜面１２ａ、１３ａを形成し、他端側に非突出側傾斜面１２ｂ、１３ｂを形成してもよい。これら突出側傾斜面１２ａ、１３ａ及び非突出側傾斜面１２ｂ、１３ｂは、いわゆる殺ぎ継ぎ又は滑り刃継ぎを構成する。
【００７３】
すなわち、図９及び図１０に示す変形例においても、各仮根太本体１２、１３は、各単位床板パネル１１の長手方向に隣接するもの同士が互いに逆向きに単位床板パネル１１の幅方向にずれている。そのため、各仮根太本体１２、１３は、その長手方向のいずれか一方の端部が単位床板パネル１１からその幅方向に突出し、他方が単位床板パネル１１の下側に収まっている。図示の例では、当該他方の端部は、その真上に配置されている単位床板パネル１１の外側縁と面一になっている。そして、図９及び図１０に示す変形例では、突出側の端部に突出側傾斜面１２ａ、１３ａが形成されているとともに、各仮根太本体１２、１３の突出側傾斜面１２ａ、１３ａと反対側の端部には、突出側傾斜面１２ａ、１３ａと接合可能な非突出側傾斜面１２ｂ、１３ｂが形成されている。
【００７４】
各突出側傾斜面１２ａ、１３ａは、それぞれ各仮根太本体１２、１３の突出側の端部上面を面取りすることによって形成されている。各突出側傾斜面１２ａ、１３ａは、上記面取りにより、先端側が細くなるように傾斜している。
【００７５】
一方、各非突出側傾斜面１２ｂ、１３ｂは、それぞれ各仮根太本体１２、１３の突出側傾斜面１２ａ、１３ａと反対側の端部下面に面取り部分を形成している。各非突出側傾斜面１２ｂ、１３ｂは、上記面取りにより、先端側が細くなるように傾斜している。両実１２ａ及び１２ｂ、１３ａ及び１３ｂの面取り部分の傾斜は、複数の床板パネルユニットをユニット幅方向に突き合わせた場合に、互いに面取り部分が面接触状態で突き合わさせる角度に設定されている。
【００７６】
換言すれば、突出側傾斜面１２ａ、１３ａは、先端に向かうに従って上下いずれか一方側（図９及び図１０の例では、下側）に傾斜する。また、非突出側傾斜面１２ｂ、１３ｂは、突出側傾斜面１２ａ、１３ａに当接できるように、先端に向かうに従って上下いずれか他方側（図９及び図１０の例では、上側）に傾斜する。
【００７７】
従って、図９及び図１０に示す変形例では、これら突出側傾斜面１２ａ、１３ａ及び非突出側傾斜面１２ｂ、１３ｂは、複数の床板パネルユニットをユニット幅方向に並べたときに、一方の床板パネルユニット３の突出側傾斜面１２ａ、１３ａと他方の床板パネルユニット３の非突出側傾斜面１２ｂ、１３ｂとが、互いに上下に重合し、当該仮根太本体１２、１３が同一線上に並んで接合される。
【００７８】
なお、図９及び図１０に示した第１の床板パネルユニット１を採用した場合において、第２の床板パネルユニット２を併用するときは、当該仮根太本体１２、１３の仕様を第１の床板パネルユニット１の仮根太本体１２、１３と同一仕様に設定する。
【００７９】
図９及び図１０に示した構成では、複数の床板パネルユニットを当該単位床板パネル１１の幅方向に並設する場合、一方の仮根太本体１２、１３の突出側傾斜面１２ａ、１３ａを他方の仮根太本体１２、１３の非突出側傾斜面１２ｂ、１３ｂと接合することにより、互いに隣接する床板パネルユニット１、２同士の仮根太本体１２、１３を干渉させることなく、互いに隣接する床板パネルユニットを連続的に敷き詰めて並べることができる。特に、本実施形態では、一方の床板パネルユニット１、２に設けられた突出側傾斜面１２ａ、１３ａと他方の床板パネルユニット１、２に設けられた非突出側接合部と１２ｂ、１３ｂを接合させる構造を採用しているので、両床板パネルユニット１、２を堅固に連結して高い曲げ強度を得ることができ、長期にわたって反りやきしみの生じ難い堅固なフローリング構造を得ることが可能になる。
【００８０】
なお、図９及び図１０に示した変形例では、突出側傾斜面１２ａ、１３ａと非突出側傾斜面１２ｂ、１３ｂの形状を傾斜させて、いわゆる殺ぎ継ぎ状又は殺ぎ刃継ぎ状に結合させ、一方の端部１２ａ（１２ｂ）と他方の端部１２ｂ（１２ａ）とを上下に重合させているが、これに限らず、例えば、あいじゃくり形状、さね形状を採用してもよい。
【００８１】
また、図２、図５に示した各床板パネルユニット１、２以外にも、種々の態様を採用することができる。
【００８２】
例えば、図１１（Ａ）（Ｂ）に示す床板パネルユニット３のように、複数（図示の例では４枚）の単位床板パネル１１をそれぞれ幅方向にのみ並べて、交互に長手方向の半分ずつずらしてもよい。図１１の例は、図５の第２の床板パネルユニット２を左右対称にした形態でもある。その場合であっても、仮根太本体１２、１３を第１、第２の床板パネルユニット１、２と同じパターンで配置し、りゃんこ張りのフローリング施工を現場で行うことができる。
【００８３】
また、図１２（Ａ）（Ｂ）に示す床板パネルユニット４のように、複数（図示の例では４枚）の単位床板パネル１１を１枚ずつ幅方向に並べ、同一方向（ユニット長手方向他端側）に半分ずつずらして配置してもよい。この場合においても、ユニット幅方向において、一の単位床板パネル１１の長手方向一端は、一つ置きに並設された別の単位床板パネル１１の長手方向他端と幅方向に並び、かつ隣接するもの同士の端と途中部とが幅方向に並んだ態様になっている。つまり、単位床板パネルが「幅方向に一つ置きに端が並び、かつ幅方向に隣接するもの同士の端と途中部とが並ぶように長手方向にずれて並置」されているとは、図１、図５のように、単位床板パネル１１の長手方向一端側同士又は他端側同士が並んだ態様ばかりでなく、図１２に示したように、単位床板パネル１１の長手方向一端と他端とが一つ置きに並んだ態様であってもよい。
【００８４】
床板パネルユニット４の場合、各仮根太本体３１、３２の長さは、何れも単位床板パネル１１が２枚分の幅方向寸法と同じに設定されている。また、各単位床板パネル１１が同一方向にずれていることから、床板パネルユニット４には、単位床板パネル１１がユニット幅方向に２枚並んで形成された継ぎ部位と、３枚並んで形成され継ぎ部位とを有している。よって、それぞれの継ぎ部位の並設寸法ＴＷ１、ＴＷ２は、単位床板パネル１１の幅寸法Ｗ分だけ異なっている（ＴＷ１＝ＴＷ２−Ｗ）が、各仮根太本体３１、３２の長さは、何れも単位床板パネル１１の幅Ｗの２倍に設定されている。そのため、３枚の単位床板パネル１１が並んでいる継ぎ部位では、当該継ぎ部位を連結する仮根太本体３１が何れも床板パネルユニット４の内側に収まっている。また、各単位床板パネル１１が同一方向にずれていることから、各仮根太本体３１、３２の長手方向の配置は、単位床板パネル１１がずれている方向に対応して、同一方向にずれているが、継ぎ部位を連結する仮根太本体３１と、非継ぎ部位を連結する仮根太本体３２との間では、単位床板パネル１１の幅方向において互いに逆向きにずれている。
【００８５】
図２、図５、図１１、及び図１２の何れの例においても、単位床板パネルの枚数は、偶数枚だけではなく、奇数枚でもよい。また、仮根太本体１２、１３も組み合わせが可能な限りにおいて、偶数本でも奇数本でもよい。また、各床板パネルユニットを構成する単位床板パネルの枚数は、最低２枚あればよい。すなわち、１枚の単位床板パネル１１の幅方向に隣接して別の単位床板パネル１１を配置し、両単位床板パネル１１を長手方向の半分だけずらして一方の真ん中を他方の端に配置するようにしてもよい。
【００８６】
また、図１２の例から明らかなように、床板パネルの仕様によっては、各仮根太部材１２、１３が、各単位床板パネル１１の下方において、並設寸法ＴＷ内に収まるようなレイアウトを採用してもよい。
【００８７】
一方、単位床板パネル１１のレイアウトの態様としては、端と真ん中とを並べたりゃんこ状のものに限定されない。例えば、図１３に示した床板パネルユニット５のように、真ん中からずれた位置（図示の例では、１ピッチＰ分だけ、互いに内側に入り込んだ位置）で隣接する単位床板パネルユニット１１の端が並ぶ態様を採用してもよい。その場合でも、床板パネルユニット１、２の長手方向一端側と他端側とを隙間なく連続させてフローリングを施工することができる。
【００８８】
また、図１２の例から明らかなように、仮根太本体３１、３２の長さは、並列寸法よりも短くてもよい。
【００８９】
また、第２の床板パネルユニット２のように、りゃんこ張りに配置された複数の単位床板パネル１１の平面中心に対し、点対称の形状に単位床板パネル１１を並べる場合、図１１の例のように、左右の向きが逆向きになっていてもよい。
【００９０】
また、上述した実施形態では、単位床板パネル１１の継ぎ部位に仮根太本体１２を配置し、非継ぎ部位に仮根太本体１３を配置しているが、これに限らず、仮根太本体は、継ぎ部位を接続するもの（仮根太本体１２）のみであってもよい。
【００９１】
仮根太本体１２が継ぎ部位のみに配置されている場合であっても、パネル長手方向に隣接するもの同士の端部がパネル幅方向において、互いに逆向きにはみ出していてもよく、同一方向にはみ出していてもよい。
【００９２】
また、同一のフロアに複数種類の床板パネルユニット１、２を併用する場合には、それぞれの床板パネルユニット１、２が同一の仕様で上述した単位床板パネル１１を交互にずらすときの規則性及び仮根太部材の配置の規則性を有していることが好ましい。
【００９３】
また、単位床板パネル１１をずらすときの規則性については、個々の床板パネルユニット１、２は、いずれもその長手方向一方の端部と他方の端部とが床板パネルユニット１の長手方向一端側と他端側とがつなぎ合わせて隙間なく連続していることが好ましい。その場合には、種類の異なる床板パネルユニットの一端側と他端側とをつなぎ合わせて、隙間なく連続させることができるので、個々の床板パネルユニット１、２の組み合わせや選定の自由度が高くなる。
【００９４】
同様に、仮根太部材の配置の規則性については、個々の床板パネルユニット１、２は、いずれもその長手方向において一方の端部に仮根太部材を配置し、他方の端部の仮根太部材を省略していることが好ましい。その場合には、種類の異なる床板パネルユニットの一端側と他端側とをつなぎ合わせる際に、一端側の仮根太本体１２、１３の上に他端側の単位床板パネル１２の自由端を配置することにより、両床板パネルユニットを隙間なく連続させることができるので、個々の床板パネルユニット１、２の組み合わせや選定の自由度が高くなる。
【００９５】
単位床板パネルと仮根太とを固定する固定手段としては、コーススレッド１５のような締結部材が好ましいが、可能であれば、接着剤であってもよい。無論、コーススレッドと接着剤とを併用してもよい。
【００９６】
施工エリアＡとしては、住居、体育館、幼稚園、学校等、様々な建築物において、フローリングが必要な種々のエリアが想定される。
【００９７】
また、本実施形態に係る各床板パネルユニット１、２は、いずれも根太２０が横架された施工エリアＡに並設されることを前提としているが、根太２０は、必ずしも必須のものではなく、根太を用いていない床面に施工することも可能である。
【００９８】
その他、本発明の要旨を逸脱しない範囲内において種々変更を加え得ることはいうまでもない。
【符号の説明】
【００９９】
１     第１の床板パネルユニット
２     第２の床板パネルユニット
１１   単位床板パネル
１２、１３    仮根太本体（仮根太部材の構成要素）
１２ａ、１３ａ       突出側傾斜面
１２ｂ、１３ｂ       非突出側傾斜面
１４   ねじ孔
１５   コーススレッド（仮根太部材の構成要素である固定手段の一例）
２０   根太
Ａ     施工エリア
Ｌ     単位床板パネルの長さ
Ｐ     ピッチ
ＰＬ   仮根太部材の長さ
ＴＷ   単位床板パネルが並んでいる部位の全幅（並設寸法）
Ｗ     単位床板パネルの幅
【図１】
2017008556.tif 000003
【図２】
2017008556.tif 000004
【図３】
2017008556.tif 000005
【図４】
2017008556.tif 000006
【図５】
2017008556.tif 000007
【図６】
2017008556.tif 000008
【図７】
2017008556.tif 000009
【図８】
2017008556.tif 000010
【図９】
2017008556.tif 000011
【図１０】
2017008556.tif 000012
【図１１】
2017008556.tif 000013
【図１２】
2017008556.tif 000014
【図１３】
2017008556.tif 000015